(57)【要約】      （修正有）【課題】従来のような異物除去装置ではなくて、もっと安価に、一度で簡単にリップ部に付着する異物を除去することができるようにした、Ｔダイリップ口の清掃装置を提供する。【解決手段】Ｔダイリップ口面に常に接しながら移動する金属ヘラ２と、前記金属ヘラを保持する保持体３と、前記保持体が移動するためのガイド４と、前記保持体の移動手段とを備え、前記Ｔダイリップ口に付着する異物を取り除くようにしたＴダイリップ口の清掃装置１。【選択図】図１
0003135042.tif 000002
【実用新案登録請求の範囲】
【請求項１】
Ｔダイリップ口面に常に接しながら移動する金属ヘラと、前記金属ヘラを保持する保持体と、前記保持体が移動するためのガイドと、前記保持体の移動手段とを備え、前記Ｔダイリップ口に付着する異物を取り除くようにしたＴダイリップ口の清掃装置。
【請求項２】
前記金属ヘラが銅製であることを特徴とする請求項１に記載のＴダイリップ口の清掃装置。
【請求項３】
前記金属ヘラをＴダイリップ口面に絶えず押し付けるためのバネが装着されていることを特徴とする請求項１または２に記載のＴダイリップ口の清掃装置。
【考案の詳細な説明】
【技術分野】
【０００１】
本考案は、Ｔダイの稼動中にリップ口に付着するメヤニ等の異物を簡単に取り除く清掃装置に関する技術である。
【背景技術】
【０００２】
従来からカーペットの製造工程において、Ｔダイ押出機にてフィルム状の樹脂を押出し、カーペットと樹脂を貼り合せ、カーペットのバッキング加工が行われている。このとき、Ｔダイのリップ口に樹脂糟や添加剤が付着し、メヤニといわれる異物となって、押出されたフィルム状の樹脂に接触したり、樹脂に混入したりして、押出されたフィルムに悪影響をきたしていた。このような状況を発見すると、作業者は一旦押出機をラインから引き出し、リップ口に銅板をあて擦りながらメヤニ等の異物を取り除く作業をしていた。
【０００３】
特許文献１には、一対の摺動体と、前記各摺動体を保持する一対の保持体と、前記保持体を移動自在に保持するための案内体と、前記各保持体を移動させるための移動手段とを備え、前記摺動体によりリップ部に付着する異物を除去するようにした構成が記載されている。
【０００４】
しかしながら特許文献１は、一対の摺動体が、互いにリップ口の幅方向に移動してリップ部に付着する片方の側の異物を除去するものであり、いくらその位置関係を調整しても、一対の摺動体の間隔を０にすることはできないことから、摺動体にかかる力のバランスが悪く、異物を完全に取り除くには、何度も往復させる必要があり、時間がかかっていた。
【特許文献１】特開平５−９２４６７
【考案の開示】
【考案が解決しようとする課題】
【０００５】
本考案の課題は、従来のような異物除去装置ではなくて、もっと安価に、一度で簡単にリップ部に付着する異物を除去することができるようにした、Ｔダイリップ口の清掃装置を提供することにある。
【課題を解決するための手段】
【０００６】
上記課題を達成するために、本考案は以下の手段を提供する。
【０００７】
［１］Ｔダイリップ口面に常に接しながら移動する金属ヘラと、前記金属ヘラを保持する保持体と、前記保持体が移動するためのガイドと、前記保持体の移動手段とを備え、前記Ｔダイリップ口に付着する異物を取り除くようにしたＴダイリップ口の清掃装置。
【０００８】
［２］前記金属ヘラが銅製であることを特徴とする前項１に記載のＴダイリップ口の清掃装置。
【０００９】
［３］前記金属ヘラをＴダイリップ口面に絶えず押し付けるためのバネが装着されていることを特徴とする前項１または２に記載のＴダイリップ口の清掃装置。
【考案の効果】
【００１０】
［１］の考案によれば、Ｔダイリップ口面を擦りながら移動する金属ヘラと、前記金属ヘラを保持する保持体と、前記保持体が移動するためのガイドと、前記保持体の移動手段とを備えているので、金属ヘラが自らの靭性によってＴダイリップ口面に一定の接触圧で絶えず押し付けながらＴダイリップ口面を正確に擦って移動することになり、Ｔダイリップ口に付着する異物を確実に取り除くことができる。
【００１１】
［２］の考案によれば、前記金属ヘラが銅製であるのでＴダイリップ口面を傷つけることなく、適度な撓りをもってＴダイリップ口面を擦るので、リップ口部に付着する異物を確実に除去することができる。
【００１２】
［３］の考案によれば、金属ヘラをＴダイリップ口面に絶えず押し付けるためのバネが装着されているので、更に強く金属ヘラはＴダイリップ口面に強く押されて擦るので、リップ口部に付着する異物を確実に除去することができる。
【考案を実施するための最良の形態】
【００１３】
本考案は、例えば具体的に図1及び２に示すような装置で、自らの靭性によってＴダイリップ口面６に一定の接触圧で絶えず押し付けながらＴダイリップ口面６を正確に擦って移動する金属ヘラ２と、前記金属ヘラ２を保持する保持体３と、前記保持体３が移動するためのガイド４と、前記保持体３の移動手段５とを備えているＴダイリップ口の清掃装置である。
【００１４】
押出機におけるリップ口は、炭素鋼、クロームモリブデン鋼、ニッケルクロム鋼等の比較的硬い材料で製作されており、さらにリップ口のエッジは鋭利（９０°）に形成されており、損傷しやすい部分となっている。リップ口が損傷すると樹脂糟や添加剤が付着しやすくなり、メヤニといわれる異物となって、押出されたフィルム状の樹脂に接触したり、樹脂に混入したりして、押出されたフィルムに悪影響をきたしていた。このような状況を発見すると、作業者は一旦押出機をラインから引き出し、リップ口の金属よりも柔らかな銅、アルミニウム、真鍮、ニッケル等の金属へらをリップ口にあてて、擦りながらメヤニ等の異物を取り除く作業をしていた。この作業は、危険でもあり、材料のロスも大きくなることから、機械を稼動したままの状態でリップ口を簡単に清掃する器具が求められていた。
【００１５】
本考案において、金属ヘラ２は、上記のようにリップ口の金属よりも柔らかな材料であれば特に限定されないが、銅製には靭性があり、加工のしやすさからも好ましい。
【００１６】
金属ヘラ２をＴダイリップ口面６に絶えず押し付けるには、金属ヘラを曲げ、金属ヘラの靭性を利用してリップ口面６にあててやってもよいが、さらに正確に強く押し当てるためにはバネを利用してもよい。バネとしては、特に限定しないが一般的な圧縮コイルバネが好ましい。
【００１７】
保持体４としては、金属ヘラ２とバネをしっかりと固定できるものであれば特に限定されないが、軽量なアルミニウム製が好ましい。また保持体４の大きさとしては、保持体４がリップ口面６を移動するスピードにもよるが、８０mm角以内の大きさが好ましい。機械を稼動したままの状態でリップ口を清掃するため、８０mm角より大きいと、フィルムが一度切られてから、直ぐに再押出されたフィルムが、保持体４の上に堆積してしまうので好ましくない。より好ましくは５０mm角以内の大きさが好ましい。
【００１８】
また、ガイド４は、押出機のリップ口を挟んで、フィルムの幅方向に平行に保持体３が移動できるようにできればよく、新たにガイド用の材料をリップ口面６近くに取り付けてもよいし、既にある溝等を利用してガイドとしてもよい。
【００１９】
保持体の移動手段としては、手動であっても良いし、モーター等の動力を使っても良いが、保持体３に取り付けたワイヤー５を引っ張って、リップ口面６を擦りながらガイド４に沿わして移動させてやればよい。ワイヤー５の保持体３への取り付け位置は、フィルムがワイヤー５の上に堆積しないように、リップ口の真下からずれた位置にするのがよい。
【実施例１】
【００２０】
図１は、本考案装置の１実施例の概略斜視図である。金属ヘラ２を曲げ、保持体３の溝部に適度な接圧をもって接触させ、金属ヘラ２のもう一方の端はネジでしっかり保持体３に固定した。保持体３の大きさは、６（高さ）×６（幅）×８（長さ）ｃｍとし、ステンレスワイヤー５を保持体３のリップ口の真下から右にずれた位置にネジで取り付け、フィルムが保持体の上に堆積しないスピードで、手動にてワイヤー５を引っ張るようにした。実際に機械を稼動したままの状態で保持体３をリップ口に沿わして移動させたが、十分に目的を達成しうるものであった。
【実施例２】
【００２１】
実施例１で作成したＴダイリップ口の清掃装置において、金属ヘラ２の下側に圧縮コイルバネを装着して、金属ヘラ２の靭性に圧縮コイルバネの反撥力を加えた接圧で金属ヘラ２を保持体３に固定した。ステンレスワイヤー５を引っ張る力は実施例１より大きな力が必要であったが、Ｔダイリップ口に付着する異物が硬い場合でも、十分に目的を達成しうるものであった。
【産業上の利用可能性】
【００２２】
様々な押出機のリップ口やノズルに付着する異物を取り除く方法で、作業者がオフラインで、手作業でおこなう方法に替えて行う方法で、安全で簡単に、安価にできる清掃装置として広く適用できる。
【図面の簡単な説明】
【００２３】
【図１】本考案装置の概略斜視図である。（実施例１）
【図２】本考案装置の概略正面図である。（実施例１）
【符号の説明】
【００２４】
１    Ｔダイリップ口の清掃装置
２    金属ヘラ
３    保持体
４    ガイド
５    ワイヤ（移動手段）
６    Ｔダイリップ口面
【図１】
0003135042.tif 000003
【図２】
0003135042.tif 000004